(57)【要約】【課題】  ラッチと取っ手とにより通気孔の蓋を制御する、容易に戸体を開閉することができる扉を得る。        【解決手段】  扉の戸体の表側と裏側とを連通させる通気孔の蓋を開閉する通気孔開閉装置を、取っ手の動作に連動して前記戸体に没入する、および、押圧されて前記戸体に没入するラッチの動作であるラッチ動作と前記取っ手の動作である取っ手動作とを検出する検出部と、前記検出部が検出した前記ラッチ動作と前記取っ手動作とを伝達する伝達部と、前記伝達部により伝達される前記取っ手動作に基づいて前記蓋を開き、前記伝達部により伝達される前記ラッチ動作に基づいて前記蓋を閉じるよう制御する制御部とを備えるようにする。      【選択図】    図１
2018168527.tif 000002
【特許請求の範囲】
【請求項１】
扉の戸体の表側と裏側とを連通させる通気孔の蓋を開閉する通気孔開閉装置であって、
取っ手の動作に連動して前記戸体に没入する、および、押圧されて前記戸体に没入するラッチの動作であるラッチ動作と前記取っ手の動作である取っ手動作とを検出する検出部と、前記検出部が検出した前記ラッチ動作と前記取っ手動作とを伝達する伝達部と、前記伝達部により伝達される前記取っ手動作に基づいて前記蓋を開き、前記伝達部により伝達される前記ラッチ動作に基づいて前記蓋を閉じるよう制御する制御部とを備えた通気孔開閉装置。
【請求項２】
前記検出部は、前記ラッチが押圧されて前記戸体に没入する動作を前記ラッチ動作として検出する、請求項１に記載の通気孔開閉装置。
【請求項３】
前記制御部は、前記ラッチ動作に基づいて前記蓋を開く制御を、前記ラッチ動作と前記取っ手動作とから前記ラッチが押圧されて前記戸体に没入する動作を検出すると実施する、請求項１に記載の通気孔開閉装置。
【請求項４】
前記検出部は、前記取っ手が回転する回転角を前記取っ手動作として検出し、前記制御部は、前記回転角が予め決められた開閉可能角度以上となると前記蓋を開いた状態で維持することを特徴とする、請求項１〜３のいずれか１項に記載の通気孔開閉装置。
【請求項５】
請求項１から４のいずれか１項に記載の通気孔開閉装置と、前記戸体と、前記ラッチと、前記取っ手とを備えた扉。
【発明の詳細な説明】
【技術分野】
【０００１】
この発明は、シールドルーム、防音室等の気密性が高い部屋の扉に設けられた通気孔を開閉する通気孔開閉装置および、通気孔開閉装置を用いた扉に関する。
【背景技術】
【０００２】
シールドルームや防音室は、電波や音の漏れを防ぐため、壁、床、天井角には隙間が無く、空気の出入りが制限された気密性の高い構造となっている。シールドルームや防音室の出入口に使用される扉についても同様であり、隙間が無く、空気の出入りが制限された気密性の高い構造となっている。ところで、扉を開閉する場合、扉は、その動く方向の空気を押しのけ、動く方向とは反対側にある空気を引張りながら動く。扉も扉が備えられている部屋も気密性が高い場合、扉が開閉されるときに動かされる空気の逃げ場は少ない。このため、扉の開閉は、扉の周囲の空気を圧縮あるいは引張る力に対する抵抗を受けることになり、大きな力を要するものとなる。このような現象を解消し、容易に開閉することのできる扉を得るための技術として、扉に通気孔を設け、扉の開閉動作に連動して通気孔の蓋を開閉させる技術がある（例えば、特許文献1参照）。
【先行技術文献】
【特許文献】
【０００３】
【特許文献１】特開昭６１−２５０２８４号公報
【発明の概要】
【発明が解決しようとする課題】
【０００４】
特許文献１に記載の技術によると、通気孔の蓋は扉の取っ手の操作に連動して開く。しかし。通気孔の蓋を閉じるためには、扉を開閉するためのラッチや取っ手の他に、蓋を閉じる制御の専用に設けられたリセットスイッチが押される必要が有る。扉にリセットスイッチを設けると、リセットスイッチ自体が扉を開閉する上での抵抗となる。また、扉にリセットスイッチを設けることは、扉にリセットスイッチ用の孔を設けたり、扉と扉枠との間の気密性を保つためのガスケットの配置を変更したりすることを必要とする。このため、扉の気密性を保つことが困難になるという課題があった。
【０００５】
この発明は、かかる課題を解決するためのものであり、ラッチと取っ手とにより通気孔の蓋を制御する、容易に戸体を開閉することができる扉を得るためのものである。
【課題を解決するための手段】
【０００６】
この発明に係る通気孔開閉装置は、扉の戸体の表側と裏側とを連通させる通気孔の蓋を開閉する通気孔開閉装置であって、取っ手の動作に連動して前記戸体に没入する、および、押圧されて前記戸体に没入するラッチの動作であるラッチ動作と前記取っ手の動作である取っ手動作とを検出する検出部と、前記検出部が検出した前記ラッチ動作と前記取っ手動作とを伝達する伝達部と、前記伝達部により伝達される前記取っ手動作に基づいて前記蓋を開き、前記伝達部により伝達される前記ラッチ動作に基づいて前記蓋を閉じるよう制御する制御部とを備えるものである。
【０００７】
この発明に係る扉は、前記通気孔開閉装置と、前記戸体と、前記ラッチと、前記取っ手とを備えるものである。
【発明の効果】
【０００８】
この発明によれば、ラッチと取っ手とにより通気孔の蓋を制御する、容易に戸体を開閉することができる扉を得ることができる。
【図面の簡単な説明】
【０００９】
【図１】この発明の実施の形態１に係る通気孔開閉装置および扉の構成図である。
【図２】この発明の実施の形態１に係る通気孔開閉装置の検出部の構成図である。
【図３】この発明の実施の形態１に係る通気孔開閉装置の制御部の構成図である。
【図４】この発明の実施の形態１に係る通気孔開閉装置および扉の状態遷移図である。
【図５】この発明の実施の形態２に係る通気孔開閉装置および扉の構成図である。
【図６】この発明の実施の形態２に係る通気孔開閉装置の検出部の構成図である。
【図７】この発明の実施の形態２に係る通気孔開閉装置の制御部の構成図である。
【発明を実施するための形態】
【００１０】
実施の形態１．
以下、この発明の実施の形態１に係る通気孔開閉装置および扉について、図１〜図４を用いて説明する。図１は、この発明の実施の形態１に係る通気孔開閉装置および扉の構成図である。扉１は、戸体１０の一方の端が扉枠９０にヒンジ９１で開閉可能に取り付けられている。扉１は、一般的な開き戸と同様に、ラッチ３０とラッチ３０を動かす取っ手４０とを含む空錠部５０を備えている。ラッチ３０は、戸体１０のヒンジ９１の有る側とは反対側の端から突出したり戸体１０に没入したりする。扉１が閉じている状態では、ラッチ３０は、戸体１０から突出した状態で、扉枠９０に設けられたラッチ受け９２に掛かり留められている。
【００１１】
扉１を開くためには、取っ手４０を回転させることによりラッチ３０を戸体１０に没入させて、ラッチ３０がラッチ受け９２に掛かっている状態から開放する。ラッチ３０は、取っ手４０を回転させることにより、取っ手４０に連動して戸体１０に没入する他、直接ラッチ受け９２より押圧されることによっても戸体１０に没入する。
【００１２】
扉１はまた、通気孔部２０を備えている。通気孔部２０は、戸体１０の表側と裏側とを連通させる通気孔２１と、通気孔２１を開閉する蓋２２と、蓋２２に開閉動作をさせる連結棒２３とを含む。扉１はさらに、通気孔部２０を制御する機構として、空錠部５０の動作を検出する検出部６０と、検出部６０が検出した空錠部５０の動作を伝達する伝達部７０と、伝達部７０により伝達された空錠部５０の動作に基づいて、通気孔部２０の蓋２２が通気孔２１を開いたり閉じたりすることを制御する制御部８０を備えている。より具体的には、検出部６０は、ラッチ３０が押圧により戸体１０に没入する動作（以後第１ラッチ動作と言う）と取っ手４０が回転する動作（以後、取っ手動作と言う）とを検出する。伝達部７０は、検出部６０が検出した第１ラッチ動作と取っ手動作とを制御部８０に伝達する。制御部８０は、伝達部７０によって伝達される取っ手動作に基づいて蓋２２を開き、伝達部７０によって伝達される第１ラッチ動作に基づいて蓋２２を閉じるよう蓋２２を制御する。
【００１３】
図２は、この発明の実施の形態１に係る通気孔開閉装置および扉の空錠部の構成と動作を示す構成図である。図２（ａ）は、扉１が閉められた状態における空錠部５０の構成を示す。図２（ｂ）は、扉１を開くために取っ手４０を回転させた状態における空錠部５０の構成を示す。図２（ｃ）は、扉１が閉じられる過程で、ラッチ３０がラッチ受け９１により押圧されて戸体１０に没入させられた状態における空錠部５０の構成を示す。
【００１４】
図２において、空錠部５０全体は、扉１の気密性を保つため、ケース５１により密閉されている。ラッチ３０は、戸体１０から突出する部分とは反対側にあるラッチ終端部３１が、ケース５１との間にあるばね３２により押されて戸体１０から突出するよう助勢されている。取っ手４０は、外部から力が加えられると回転軸４１のまわりに回転するように設けられている。取っ手４０が回転すると、金具４２がラッチ終端部３１を押してラッチ３０を戸体１０に没入させる。取っ手４０に加えた力を除くと、金具４２がラッチ終端部３１に押されて、取っ手４０は回転していない状態に戻る。ラッチ３０は、取っ手４０の回転に連動するほか、押圧により戸体１０に没入する。このラッチ３０が押圧により戸体１０に没入する動作は、扉を閉めるときに発生する。このため、ラッチ３０が押圧により戸体１０に没入する動作は、第１ラッチ動作として通気孔部２０の制御に使用される。
【００１５】
取っ手動作伝達部７１およびラッチ動作伝達部７２は、伝達部７０の一部である。取っ手動作伝達部７１は、取っ手４０の取っ手動作として取っ手４０の回転角を伝達する。ラッチ動作伝達部７２は、前述の第１ラッチ動作を伝達する。取っ手動作伝達部７１およびラッチ動作伝達部７２は、例えば、インナーワイヤとアウターケーシングとの間の位置関係により制御情報を伝えるワイヤ等で構成される。取っ手動作伝達部７１は、インナーワイヤが金具４２に、アウターケーシングがケース５１にそれぞれ取り付けられ、金具４２とケース５１との間の位置関係から検出される取っ手４０の回転角を伝達する。ラッチ動作伝達部７２は、インナーワイヤが金具４２に、アウターケーシングがラッチ終端部３１にそれぞれ取り付けられ、金具４２とラッチ終端部３１の動きの差から検出される第１ラッチ動作を伝達する。扉１においては、検出部６０は、取っ手動作伝達部７１が金具４２およびケース５１に取り付けられている部分とラッチ動作伝達部７２が金具４２およびラッチ終端部３１に取り付けられている部分である。
【００１６】
図２（ａ）は、扉１が閉じられている状態である。この状態では、取っ手動作伝達部７１で伝達される回転角は０である。また、ラッチ終端部３１は金具４２と接しているため、ラッチ動作伝達部７２では、第１ラッチ動作がされてないことが伝達される。図２（ｂ）は、扉１を開けるために、取っ手４０を回転させた状態である。取っ手４０は、扉１を開くため、ラッチ３０が戸体１０に没入する角度である開閉可能角度以上回転される。図２（ｂ）の状態では、取っ手動作伝達部７１のインナーケーブルが金具４２に引かれて取っ手４０の回転角が制御部８０に伝達される。また、ラッチ終端部３１は金具４２と接しているため、ラッチ動作伝達部７２では、第１ラッチ動作がされてないことが伝達される。図２（ｃ）は、扉１が閉じられる過程で、ラッチ３０がラッチ受け９２により戸体１０に没入させられた状態である。図２（ｃ）の状態では、金具４２は回転していないため、取っ手動作伝達部７１では、取っ手４０が回転していないことを伝達する。一方、ラッチ３０が戸体１０に没入するため、ラッチ終端部３１は金具４２から離れる方向に移動する。このため、ラッチ動作伝達部７２は、第１ラッチ動作がされたことを伝達する。なお、図２（ｃ）において、第１ラッチ動作を安定して検出するため、第１ラッチ動作は、取っ手４０の回転角が開閉可能角度未満の状態でラッチ３０が戸体１０に没入するまで押される状態として扱う。
【００１７】
図３は、この発明の実施の形態１に係る通気孔開閉装置および扉の制御部の構成を示す構成図である。制御部８０は、取っ手動作伝達部７１およびラッチ動作伝達部７２により伝達される空錠部５０の動作に基づいて、連結棒２３を動かして蓋２２を制御する。制御部８０は、ケース８１により密閉されている。制御部８０は、変換部８３を備えている。変換部８３は、回転軸８２を中心とした回転運動により、取っ手動作伝達部７１が取っ手４０の回転角を伝達しているインナーケーブル動作の動作量と向きを、連結棒２３の動きに変換する。また、制御部８０は、蓋２２が通気孔２１を開いた状態で連結棒２３を固定するストッパー８４を備えている。図３において、連結棒２３が左側に動くと蓋２３は通気孔２１を閉じ、連結棒２３が右側に動くと蓋２３は通気孔２１を開く。連結棒２３は、ケース８１との間のばね２４で左側に引張られている。つまり、連結棒２３は、蓋２３が通気孔２１を閉じる方向に助勢されている。
【００１８】
図３において、取っ手動作伝達部７１が伝達する取っ手４０の回転角は変換部８３で変換されて連結棒２３の右側に向かう動きとなる。取っ手４０が回転するほど連結棒２３は右側に動かされ、蓋２２が通気孔２１を開く。取っ手４０が開閉可能角度以上回転すると、ストッパー８４が動作して連結棒２３が固定される。この状態では、蓋２２は通気孔２１を開いた状態で固定される。これに対して、空錠部５０でラッチ３０が第１ラッチ動作を行ったことが検出部６０により検出されると、ラッチ動作伝達部７２によりストッパー８４は解除されて連結棒２３は左に動く。このため、蓋２２は通気孔２１を閉じた状態となる。
【００１９】
図４は、この発明の実施の形態１に係る通気孔開閉装置および扉の空錠部の動作に伴う状態の変化を表す状態遷移図である。図４（ａ）は、空錠部５０の動作と扉１およびラッチ３０の状態の関係を表す。図４（ｂ）は、図４（ａ）に加えて、蓋２２による通気孔２１の開閉の状態を表す。図４（ａ）において、ＳＴ１０は、扉１が閉じた状態である。ＳＴ１０においては、取っ手４０は回されてない。ラッチ３０は戸体１０から突出してラッチ受け９２に掛かり、戸体１０が開かない状態となっている。ＳＴ１０から扉１を開く場合、最初に取っ手４０を回して扉を開閉可能な状態であるＳＴ２０にする。ＳＴ１０の状態からＳＴ２０の状態に移行するためには、取っ手４０は、ラッチ３０が戸体１０に没入する角度である開閉可能角度以上回転される。ＳＴ２０では、ラッチ３０は戸体１０に没入しており、ラッチ受け９２に掛かってないため、戸体１０を開くことが可能である。
【００２０】
次に、ＳＴ２０の状態のまま扉１を開く方向に押すことにより、扉１は開いた状態であるＳＴ３０に移行する。ＳＴ３０の状態では、取っ手４０は回転したままであり、ラッチ３０は、戸体１０に没入した状態のままである。ＳＴ３０の状態で取っ手４０を開放すると、扉１が開放されている状態であるＳＴ４０に移行する。ＳＴ４０の状態では、取っ手４０は回転していない状態（回転角が０の状態）に戻る。また、ＳＴ４０の状態では、ラッチ３０は、扉１が閉じている状態と同様に扉１から突出した状態となる。扉１を閉めるためには、ＳＴ４０の状態から、扉枠９０に扉１を押し込む。扉１を扉枠９０に押し込む際には、取っ手４０は操作しない。ＳＴ４０においてラッチ３０は戸体１０から突出した状態であるため、一旦ラッチ受け９２により押し込まれた後に再び戸体１０から突出してラッチ受け９２に掛かり、戸体１０が開かない状態であるＳＴ１０に移行する。
【００２１】
以上のように、扉１は、一般の開き戸と全く同じ動作を行うことにより開閉することができる。図４（ｂ）は、図４（ａ）に加えて通気孔の状態を示したものである。図４（ｂ）において、ＳＴ１１０は、扉１が閉じた状態である。扉１が閉められている状態であるＳＴ１１０においては、扉１を通じて音が漏れないよう、制御部８０は、通気孔２１の蓋２２を閉じた状態としている。ＳＴ１１０から扉１を開く場合、最初に取っ手４０を回して扉を開閉可能な状態であるＳＴ１２０にする。ＳＴ１１０の状態からＳＴ１２０の状態に移行するためには、取っ手４０は、ラッチ３０が戸体１０に没入する角度である開閉可能角度以上回転される。取っ手４０が回転すると、取っ手４０の回転角は検出部６０により検出されて、取っ手動作として伝達部７０により制御部８０に伝達される。制御部８０は、伝達部７０により伝達される回転角に応じて通気孔２１の蓋２２を制御する。すなわち、蓋２２は、取っ手４０の回転角に応じて通気孔２１を開いた状態となる。取っ手４０が開閉可能角度以上回転されると、制御部８０は、蓋２２を、取っ手４０の状態が変わっても通気孔２１を開いた状態で維持する（ＳＴ１２０）。
【００２２】
ＳＴ１２０の状態では、通気孔２１の蓋２２が開いた状態で維持されている。ＳＴ１２０の状態では、扉１の表側と裏側との間で空気が通気孔２１を通って移動することができる。このため、扉１を開く動作により扉１の表側で押しのけられた空気は通気孔２１を通って扉１の裏側に動く。この空気の流れにより、扉１を開く際の空気の抵抗は低減され、ＳＴ１２０の状態から扉１が開いているＳＴ１３０の状態に容易にすることができる。扉１が開かれたＳＴ１３０の状態で取っ手４０を開放しても、蓋２２は通気孔２１を開いた状態で維持される。このため、ＳＴ１２０の状態から取っ手４０を開放すると、扉が開放されたＳＴ１４０の状態となる。
【００２３】
扉が開放されているＳＴ１４０の状態では、制御部８０により、蓋２２が通気孔２１を開いた状態で維持されている。このため、扉１を閉じる場合、扉１を閉じる動作により扉１の裏側で押しのけられた空気は通気孔２１を通って扉１の表側に動く。この空気の流れにより、扉１を閉じる際の空気の抵抗は低減され、ＳＴ１４０の状態から扉１が閉じた状態に容易にすることができる。ＳＴ１４０の状態では、ラッチ３０は戸体１０から突出しているため、扉枠９０に押し込まれる際に押されて第１ラッチ動作を行う。この第１ラッチ動作は検出部６０により検出されて、伝達部７０により制御部８０に伝達される。制御部８０は、伝達部７０から第１ラッチ動作が行われたことが伝達されると、通気孔２１の蓋２２が閉じるように制御する。このため、通気孔２１は閉じられ、通気孔開閉装置および扉は、ＳＴ１１０の状態となる。
【００２４】
以上のように、この発明の実施の形態１に係る通気孔開閉装置および扉においては、取っ手の回転動作に応じて扉の通気孔を蓋が開き、ラッチが押し込まれる動作に応じて扉の通気孔を蓋が閉じるように構成されている。このため、扉に一般に備えられているラッチと取っ手による通常と同じ扉の開閉動作により、扉は通気孔の開閉を行うことができ、容易に開閉することが可能な扉を得ることができる。
【００２５】
実施の形態２．
以下、この発明の実施の形態２に係る通気孔開閉装置および扉について、図５〜図７を用いて説明する。図５は、この発明の実施の形態２に係る通気孔開閉装置および扉の構成図である。扉１Ａは、検出部６０Ａを備えた空錠部５０Ａ、検出部６０Ａが検出した空錠部５０Ａの動作を伝達する伝達部７０Ａ、および伝達部７０Ａで伝達される空錠部５０Ａの動作に基づいて通気孔部２０の蓋２２を制御する制御部８０Ａを備えていることが、実施の形態１とは異なる。
【００２６】
検出部６０Ａは、取っ手４０が回転する動作（取っ手動作）とラッチ３０が戸体１０に没入する動作（以後、第２ラッチ動作と呼ぶ）を検出する。第２ラッチ動作は、ラッチ３０が押圧によるかまたは取っ手４０の回転に連動するかのいずれかにより戸体１０に没入する動作である。伝達部７０Ａは、検出部６０Ａが検出した空錠部５０Ａのラッチ３０の第２ラッチ動作および取っ手４０の取っ手動作とを制御部８０Ａに伝達する。制御部８０Ａは、伝達部７０Ａにより伝達される取っ手動作に基づいて、蓋２２が通気孔２１を開くよう制御する。
【００２７】
制御部８０Ａは、取っ手４０が決められた開閉可能角度以上回転されたことが伝達部７０Aから伝達されると、蓋２２が通気孔２１を開いた状態で維持する。また、制御部８０Ａは、伝達部７０Ａにより伝達される取っ手動作と第２ラッチ動作とから、第１ラッチ動作が行われたことを検出する。具体的には、伝達部７０Aにより伝達される取っ手４０の回転角が開閉可能角度未満の状態で第２ラッチ動作が伝達されると、制御部８０Aは、第１ラッチ動作が行われたことを検出する。第１ラッチ動作が検出されると、制御部８０Ａは、蓋２２が通気孔２１を閉じた状態となるよう蓋２２の制御を行う。扉１Ａのその他の構成については、扉１と同様である。実施の形態２に係る通気孔開閉装置および扉は、以上のように構成されているため、空錠部の動作に伴う状態の変化は、図４と全く同様である。
【００２８】
図６は、この発明の実施の形態２に係る通気孔開閉装置および扉の空錠部５０Ａの構成を示す構成図である。図６において、ラッチ動作伝達部７２Ａは、インナーワイヤがラッチ終端部３１Ａに、アウターケーシングがケース５１Ａにそれぞれ取り付けられ、ラッチ終端部３１Ａの動きから検出されるラッチ３０の没入動作を第２ラッチ動作として検出し、伝達部７０Ａにより制御部８０Ａに伝達する。空錠部５０Ａのその他の構成については、空錠部５０と同様である。扉１Ａにおいては、検出部６０Ａは、取っ手動作伝達部７１が金具４２およびケース５１Ａに取り付けられている部分とラッチ動作伝達部７２Ａがラッチ終端部３１およびケース５１Ａに取り付けられている部分である。
【００２９】
図７は、この発明の実施の形態２に係る通気孔開閉装置および扉の制御部の構成を示す構成図である。制御部８０Ａは、取っ手動作伝達部７１およびラッチ動作伝達部７２Ａにより伝達される空錠部５０Ａの動作に基づいて、連結棒２３を動かして蓋２２を制御する。制御部８０Ａは、ケース８１により密閉されている。制御部８０Ａは、変換部８３Ａを備えている。変換部８３Ａは、回転軸８２を中心とした回転運動により、取っ手動作伝達部７１が取っ手４０の回転角を伝達しているインナーケーブル動作の動作量と向きを、連結棒２３の動きに変換する。また、制御部８０は、蓋２２が通気孔２１を開いた状態で変換部８３Ａを固定するストッパー８４Ａを備えている。なお、図７では、ストッパー８４Ａは変換部８３Ａを固定するように構成されているが、ストッパー８４Ａが連結棒２３を固定するように構成しても良い。
【００３０】
図７において、取っ手動作伝達部７１が伝達する取っ手４０の回転角は変換部８３Ａで変換されて連結棒２３の右側に向かう動きとなる。取っ手４０が回転するほど連結棒２３は右側に動かされ、蓋２２が通気孔２１を開く。取っ手４０が開閉可能角度以上回転すると、ストッパー８４Ａが動作して連結棒２３が固定される。この状態では、蓋２２は通気孔２１を開いた状態で固定される。ストッパー８４Ａは、取っ手動作伝達部７１により伝達される取っ手４０の回転角（取っ手動作）とラッチ動作伝達部７２Ａにより伝達されるラッチの没入動作（第２ラッチ動作）との差分で動作する。このため、取っ手４０の回転角が開閉可能角度未満の状態でラッチ３０が扉１０に没入すると、ストッパー８４Ａは解除される。取っ手４０が回転することによりラッチ３０が扉１０に没入する場合は、ストッパー８４Ａは解除されない。
【００３１】
以上のように、実施の形態２に係る通気孔開閉装置および扉においても、取っ手の回転動作に応じて扉の通気孔を蓋が開き、ラッチが押し込まれる動作に応じて扉の通気孔を蓋が閉じるように構成されている。このため、実施の形態１に係る通気孔開閉装置および扉と同様に、扉に一般に備えられているラッチと取っ手による通常と同じ扉の開閉動作により、扉は通気孔の開閉を行うことができ、容易に開閉することが可能な扉を得ることができる。
【００３２】
なお、実施の形態１および実施の形態２においては、取っ手４０やラッチ３０の動作をラッチ終端部３１や金具４２の動きにより検出して、ワイヤ等により伝達する構成を示したが、取っ手４０やラッチ３０の動作をセンサにより検出して電気信号や光信号などにより制御部８０、８０Ａに伝達し、制御部８０、８０Ａでアクチュエータにより連結棒２３を動かして蓋２２を制御する構成としても良い。
【符号の説明】
【００３３】
１０  戸体、２０  通気孔部、２１  通気孔、２２  蓋、２３  連結棒、３０  ラッチ、３１、３１Ａ  ラッチ終端部、３２  ばね、４０  取っ手、４１  回転軸、４２、４２Ａ  金具、５０、５０Ａ  空錠部、５１、５１Ａ  ケース、６０、６０Ａ  検出部、７０，７０Ａ  伝達部、７１  取っ手動作伝達部、７２、７２Ａ  ラッチ動作伝達部、８０、８０Ａ  制御部、８１  ケース、８２  回転軸、８３  変換部、８４、８４Ａ  ストッパー、９０  扉枠、９１  ヒンジ、９２  ラッチ受け。
【図１】
2018168527.tif 000003
【図２】
2018168527.tif 000004
【図３】
2018168527.tif 000005
【図４】
2018168527.tif 000006
【図５】
2018168527.tif 000007
【図６】
2018168527.tif 000008
【図７】
2018168527.tif 000009